(57)【特許請求の範囲】
【請求項１】
グリップ電極（８７）を有する本体部（８５）と、肌用電極（８８）を有するヘッド部（８６）とを備えており、
ヘッド部（８６）と本体部（８５）とが着脱可能に連結されており、
本体部（８５）とヘッド部（８６）との間に、本体部（８５）に連結したヘッド部（８６）を分離不能にロックするロック構造が設けられており、
ロック構造をロック解除操作する解除操作具（１０４）が、ヘッド部（８６）を本体部（８５）に連結した状態における、グリップ電極（８７）と肌用電極（８８）との間のケース外面に配置されており、
本体部（８５）が、前後厚みに比べて左右幅が大きな断面形状に形成されており、
本体部（８５）の左右両側にグリップ電極（８７）が配置され、本体部（８５）の前後面の少なくともいずれか一方に側に解除操作具（１０４）が配置されていることを特徴とする美容器具。
【請求項２】
本体部（８５）とヘッド部（８６）のいずれか一方に、肌用電極（８８）用の出力リード（１０８）を巻き込み収納するリール（１０９）を含むリード収納構造が設けられている請求項１に記載の美容器具。
【請求項３】
リード収納構造が、リール（１０９）を巻き込み付勢するリールばね（１１０）を含んで構成してあり、
ヘッド部（８６）を本体部（８５）から分離した状態において、出力リード（１０８）がリールばね（１１０）の付勢力で、常に巻き込み収納される向きに引っ張り付勢されている請求項２に記載の美容器具。
【発明の詳細な説明】
【技術分野】
【０００１】
本発明は、微細な汚れを落とし、あるいは保湿成分を浸透させて美容効果を高めるための美容器具に関する。
【背景技術】
【０００２】
本発明に係る美容器具に関して、たとえば特許文献１の美容器具が公知である。そこでは、グリップを兼ねる縦長の本体ケースと、本体ケースの前面上部に設けられる肌用電極と、肌用電極の外面に被せ付けた含液シートを押え保持するシートホルダーなどで美容器具を構成している。本体ケースの背面には、電源投入ボタンや、パルス電流の強弱を調整する切り換えボタンなどが設けてある。また、本体ケースの左右両側にはグリップ電極が露出させてある。肌用電極は裁頭円錐台状の突起からなり、その表面の接触面が、イオン導入・導出時の他方の電極を兼ねている。使用時には、肌用電極の外面に化粧水を含浸させた含液シートを被せ付け、シートホルダーでずれ動き不能に保持固定したのち、グリップ電極を握った状態で肌用電極を肌面に沿って摺動させる。
【先行技術文献】
【特許文献】
【０００３】
【特許文献１】特開２００９−１７２２４０号公報（段落番号００６０、図５）
【発明の概要】
【発明が解決しようとする課題】
【０００４】
特許文献１の美容器具によれば、イオン導入・導出作用によって、顔肌などの微細な汚れを落とし、あるいは保湿成分を肌に浸透させて美容効果を高めることができる。しかし、グリップを兼ねる本体ケースの左右両側にグリップ電極を設け、本体ケースの前面上部に肌用電極を設ける構造になっているため、上腕や前腕の肌の手入れを行う場合には、片手で握った美容器具の肌用電極を腕肌に接触させることになる。この状態のパルス電流は、美容器具を握り締めた腕と、胴上部と、手入れの対象となる腕を介して導通することとなり、導通距離が大きい分だけ電気抵抗が大きくなるため、イオン導出作用、あるいはイオン導入作用を充分に発揮させるのが困難となる。
【０００５】
本発明の目的は、手入れすべき上腕や前腕の肌の手入れを効果的に行うことができる美容器具を提供することにある。
【課題を解決するための手段】
【０００６】
本発明に係る美容器具は、図１に示すように、グリップ電極８７を有する本体部８５と、肌用電極８８を有するヘッド部８６とを備えており、ヘッド部８６と本体部８５とが着脱可能に連結されている。
【０００７】
本体部８５とヘッド部８６との間に、本体部８５に連結したヘッド部８６を分離不能にロックするロック構造が設けられており、ロック構造をロック解除操作する解除操作具１０４が、ヘッド部８６を本体部８５に連結した状態における、グリップ電極８７と肌用電極８８との間のケース外面に配置されている。
【０００８】
本体部８５が、前後厚みに比べて左右幅が大きな断面形状に形成されており、本体部８５の左右両側にグリップ電極８７が配置され、本体部８５の前後面の少なくともいずれか一方の側に解除操作具１０４が配置されている。
【０００９】
本体部８５とヘッド部８６のいずれか一方に、肌用電極８８用の出力リード１０８を巻き込み収納するリール１０９を含むリード収納構造が設けられている。
【００１０】
リード収納構造が、リール１０９を巻き込み付勢するリールばね１１０を含んで構成してあり、ヘッド部８６を本体部８５から分離した状態において、出力リード１０８がリールばね１１０の付勢力で、常に巻き込み収納される向きに引っ張り付勢されている。
【発明の効果】
【００１１】
本発明においては、肌用電極８８を有するヘッド部８６と、グリップ電極８７を有する本体部８５とが着脱可能に連結されていることにより、ヘッド部８６を本体部８５から離れた状態で肌面に接触させることができる。例えば、上腕や前腕などの肌の手入れを行う場合には、肌の手入れを行う側の手でグリップ電極８７を握り、本体部８５から分離したヘッド部８６を他方の手で握って、肌用電極８８を腕肌に接触することができる。従って、グリップ電極８７と肌用電極８８との間の導通距離を、最大でも上腕から手までの距離とすることができ、イオン導出作用、あるいはイオン導入作用を充分に発揮させて、汚れの除去や美容用液の浸透を的確に行える。また、図４に示すようにヘッド部８６のみを腕肌に沿って操作すればよいので、ヘッド部８６を本体部８５と一体化した状態で美容処理を行なう場合に比べて、肌用電極８８を自在に操作することができる。
【００１２】
グリップ電極８７と肌用電極８８との間のケース外面に解除操作具１０４が配置されていることにより、ヘッド部８６と本体部８５と一体化した状態で美容器具を使用するとき、解除操作具１０４が誤って解除操作されるのを解消できる。従って、美容器具による汚れの除去や、美容液の浸透を確実に行える。
【００１３】
本体部８５の左右両側にグリップ電極８７を配置し、本体部８５の前後面に解除操作具１０４を配置すると、ヘッド部８６を本体部８５と一体化した状態で美容器具を使用するとき、解除操作具１０４が誤って解除操作されるのをさらに確実に防止できる。これは、グリップ電極８７を手で握った状態において、対向間隔が大きな一対のグリップ電極８７に手の握力が作用し、握力が殆ど作用しない側に配置した解除操作具１０４が、グリップ電極８７を握った手の指で操作される可能性が充分に低いからである。
【００１４】
本体部８５とヘッド部８６のいずれか一方の内部に、リール１０９を含むリード収納構造を設けると、不使用時の出力リード１０８を整然とリール１０９に巻き取り収納できる。また、美容処理を行なう腕肌の部位に応じて、出力リード１０８を必要な長さだけ本体部８５またはヘッド部８６から引き出して、ヘッド部８６を肌面に接触できる。したがって、出力リード１０８が邪魔になるのを防止しながら、腕肌の美容処理を適切に行なえる。
【００１５】
出力リード１０８を、リールばね１１０の付勢力で常に巻き込み収納される向きに引っ張り付勢すると、美容処理が終了したのちリール１０９を巻き込み操作する必要もなく、出力リード１０８を自動的にリール１０９に巻き取り収納できる。従って、出力リード１０８を収納する手間を省いて、美容器具の収納を簡便に行える。また、ヘッド部８６を本体部８５に連結した状態においては、出力リード１０８に作用する引っ張り力でヘッド部８６を遊動不能に保持して、ヘッド部８６ががたつくのを防止できる。
【図面の簡単な説明】
【００１６】
【図１】本発明に係る美容器具を示す正面図である。
【図２】本発明に係る美容器具のキャップを分離した状態の側面図である。
【図３】本発明に係る美容器具のロック構造を示す断面図である。
【図４】本発明に係る美容器具の使用例を示す説明図である。
【発明を実施するための形態】
【００１７】
（実施例）  図１〜図４は、本発明に係る美容器具の実施例を示す。図１および図２において美容器具は、本体部８５と、本体部８５に対して着脱されるヘッド部８６とで構成してある。上下に長い本体部８５はグリップを兼ねており、その断面は、前後厚みに比べて左右幅が大きな角の丸い四角形状に形成してある。断面形状は、前後厚みに比べて左右幅が大きければ楕円形状であってもよい。本体部８５の左右両側にはグリップ電極８７が設けてあり、ヘッド部８６の前面には肌用電極８８が設けてある。肌用電極８８、グリップ電極８７ともにチタンにて構成されている。ヘッド部８６の内部には図示しないバイブレータが配設されている。バイブレータは、モーターと、その出力軸に固定される偏心重りとで構成する。本体部８５の内部には、２個の電池８９と制御基板９２などが収容してあり、制御基板９２には、肌用電極８８、グリップ電極８７にイオン導入またはイオン導出用のパルス電流を出力する肌通電用の制御回路（電流調整回路）、バイブレータ用のモーターの通電状態を制御するバイブレータ駆動用の制御回路、ケース前面のスイッチボタン９０・９１で切り換え操作されるスイッチなどが実装してある。一方のスイッチボタン９０は電源投入用であり、他方のスイッチボタン９１は美容器具の運転モードを切換えるために設けてある。
【００１８】
この実施例の美容器具は、綿シートあるいはガーゼなどの美容液を含ませる含液シート９３を使用して肌面の手入れを行う。含液シート９３を肌用電極８８に密着する状態で固定するために、シート押え用のキャップ９４を設け、このキャップ９４を、肌用電極８８を固定する電極ホルダー９５に対して着脱できるようにしている。キャップ９４の前面には窓９６が開口してあるので、肌用電極８８を含液シート９３で覆ったのち、キャップ９４を電極ホルダー９５に圧嵌装着することにより、含液シート９３を肌用電極８８に密着させた状態で窓９６から露出させることができる。
【００１９】
電源投入用のスイッチボタン９０がオン操作されると、バイブレータ駆動用の制御回路から駆動電流が供給されて、バイブレータが起動され、所定期間（例えば１秒間）後、下記の第１モードの状態となり器具の動作が始まる。電源投入用のスイッチボタン９０がオン操作されたときバイブレータが駆動することにより、手の感触で器具が起動していることを確認できるので、ユーザーの安心感につながる。
【００２０】
運転モード切換用のスイッチボタン９１は、オン操作するごとに第１モードから第３モードまで切り換えることができる。第１モードでは、肌用電極８８をプラス極性、グリップ電極８７をマイナス極性とした電圧が印加される。これにより化粧水等の美容用液が含浸された化粧用の含液シート９３を肌用電極８８の外面にあてがい、その周囲をヘッド部８６の電極ホルダー９５に圧嵌装着されるキャップ９４で固定した状態で、含液シート９３を顔肌や腕肌などの肌面にあてがえばイオン導出を行うことができ、肌の微細な汚れを落とすことができる。第２モードでは、肌用電極８８とグリップ電極８７に極性を交互に切り替えた電圧が印加されるとともに、バイブレータが駆動される。これによりヘッド部８６を肌にあてがえば肌をほぐすことができる。第３モードでは、肌用電極８８をマイナス極性、グリップ電極８７をプラス極性とした電圧が印加される。これにより化粧水等の美容用液が含浸された化粧用の含液シート９３を肌用電極８８に密着固定した状態で、含液シート９３を肌にあてがえばイオン導入を行うことができ、保湿成分を肌に浸透させて美容効果を高めることができる。
【００２１】
第１、第２、第３モードのときは、肌面への通電を行うため、本体部８５を片手で握り、その手をグリップ電極８７と接触させたうえで、含液シート９３を備えた肌用電極８８を顔肌などの肌面に接触させる必要がある。電源投入用のスイッチボタン９０をもう一度オン操作するか、電源投入用のスイッチボタン９０のオン操作から所定期間（例えば５分間）が経過すると電源がオフされる。
【００２２】
従来のこの種の美容器具は、グリップを兼ねる本体ケースの左右両側にグリップ電極を設け、本体ケースの前面上部に肌用電極を設ける構造になっている。そのため、上腕や前腕の肌の手入れを行う場合には、片手で握った美容器具の肌用電極を腕肌に接触させることになる。この状態のパルス電流は、美容器具を握り締めた腕と、胴上部と、手入の対象となる腕を介して導通することとなり、導通距離が大きい分だけ電気抵抗が大きくなるため、イオン導出作用、あるいはイオン導入作用を充分に発揮させるのが困難となる。こうした不具合を解消して、上腕や前腕の肌の手入れを効果的に行うために、この実施例の美容器具では、ヘッド部８６を本体部８５に対して着脱できるようにしている。なお、顔肌に使用する場合は、従来どおり本体部８５にヘッド部８６を装着した状態で手入れを行う。
【００２３】
ヘッド部８６を本体部８５に対して着脱するために、本体部８５の上端に連結部９７を凹み形成し、ヘッド部８６の下面側に連結部９７と嵌合する連結脚部９８を設けている。本体部８５に装着したヘッド部８６を分離不能にロック保持するために、本体部８５とヘッド部８６との間にロック構造を設けている。図３に示すようにロック構造は、ロック体１００と、ロック体１００をロック付勢するロックばね１０１と、連結脚部９８の前壁および後壁に設けたロック穴１０２とで構成する。ロック体１００は、ロック穴１０２に係合するロック爪１０３と、解除ボタン（解除操作具）１０４とでＬ字状に構成してあり、全体が本体部８５で前後スライド自在に支持されて、解除ボタン１０４が本体部８５の前面上部に突出させてある。
【００２４】
グリップ電極８７と肌通電用の制御回路（電流調整回路）とは出力リード１０７を介して接続してあり、同様に肌用電極８８と肌通電用の制御回路（電流調整回路）とは出力リード１０８を介して接続してある。前者出力リード１０７は本体部８５の内面側からグリップ電極８７に接続するが、後者出力リード１０８は、本体部８５から引き出すことができる長尺（５０ｃｍ）のリード線で形成してあって、本体部８５の内部に設けたリード収納構造に巻き込み収納できるようにしてある。図２においてリード収納構造は、出力リード１０８を巻き込み収納するリール１０９と、リール１０９のリール軸を巻き込み付勢するリールばね１１０を含んで構成する。なお出力リード１０８は、プレス成形された板状の金属端子であってもよい。
【００２５】
上記のように、ヘッド部８６を本体部８５に対して着脱できるようにした美容器具は、次の形態で実施できる。
【００２６】
グリップ電極８７および制御基板９２を有する本体部８５と、肌用電極８８を有するヘッド部８６とを備えており、
グリップ電極８７および肌用電極８８は、それぞれ制御基板９２に設けた肌通電用の制御回路（電流調整回路）と出力リード１０７・１０８を介して接続されており、
ヘッド部８６と本体部８５とは着脱可能に連結されて、肌用電極８８と肌通電用の制御回路（電流調整回路）とを接続する長尺の出力リード１０８の長さの範囲内で、ヘッド部８６を本体部８５から離れた状態で肌面に接触できることを特徴とする美容器具。
【００２７】
上記のように、肌用電極８８を有するヘッド部８６と、グリップ電極８７を有する本体部８５とを着脱可能に連結し、肌用電極８８と肌通電用の制御回路（電流調整回路）とを長尺の出力リード１０８で接続すると、ヘッド部８６を本体部８５から離れた状態で肌面に接触させることができる。例えば、上腕、前腕、手の甲などの肌の手入れを行う場合には、肌の手入れを行う側の手でグリップ電極８７を含む本体部８５を握り、本体部８５から分離したヘッド部８６を他方の手で握って、肌用電極８８を腕肌に接触することができる（図４参照）。従って、グリップ電極８７と肌用電極８８との間の導通距離を、最大でも上腕から手までの距離とすることができ、イオン導出作用、あるいはイオン導入作用を充分に発揮させて、汚れの除去や美容液の浸透を的確に行える。また、図４に示すようにヘッド部８６のみを腕肌に沿って操作すればよいので、ヘッド部８６を本体部８５と一体化した状態で美容処理を行なう場合に比べて、肌用電極８８を自在に操作することができる。
【００２８】
本体部８５とヘッド部８６との間に、本体部８５に連結したヘッド部８６を分離不能にロックするロック構造が設けられており、
ロック構造をロック解除操作する解除操作具１０４が、ヘッド部８６を本体部８５に連結した状態における、グリップ電極８７と肌用電極８８との間のケース外面に配置してある美容器具。解除操作具１０４は、押しボタン以外に、スライドノブ、あるいはレバーなどで構成することができる。
【００２９】
上記のように、グリップ電極８７と肌用電極８８との間のケース外面に解除操作具１０４が配置してあると、ヘッド部８６と本体部８５と一体化した状態で美容器具を使用するとき、解除操作具１０４が誤って解除操作されるのを解消できる。従って、美容器具による汚れの除去や、化粧水等の美容用液の浸透を確実に行える。
【００３０】
本体部８５が、前後厚みに比べて左右幅が大きな断面形状に形成されており、
本体部８５の左右両側にグリップ電極８７が配置され、本体部８５の前後面の少なくともいずれか一方に側に解除操作具１０４が配置してある美容器具。前後厚みに比べて左右幅が大きな断面形状としては、長方形、長方形の各角部が丸められた形状、および前後厚みに比べて左右幅が大きな楕円形、さらに前後面および左右面がそれぞれ外膨らみ面で形成してある形状などがある。
【００３１】
本体部８５の左右両側にグリップ電極８７を配置し、本体部８５の前後面に解除操作具１０４を配置すると、ヘッド部８６を本体部８５と一体化した状態で美容器具を使用するとき、解除操作具１０４が誤って解除操作されるのをさらに確実に防止できる。これは、グリップ電極８７を手で握った状態において、対向間隔が大きな一対のグリップ電極８７に手の握力が作用し、握力が殆ど作用しない側に配置した解除操作具１０４が、グリップ電極８７を握った手の指で操作される可能性が充分に低いからである。
【００３２】
本体部８５とヘッド部８６のいずれか一方に、肌用電極８８用の出力リード１０８を巻込み収納するリール１０９を含むリード収納構造が設けてある美容器具。リード収納構造は、図１に示すように本体部８５に設けるのが好適であるが、必要があればヘッド部８６に設けてもよい。
【００３３】
本体部８５の内部に、リール１０９を含むリード収納構造を設けると、不使用時の出力リード１０８を整然とリール１０９に巻き取り収納できる。また、美容処理を行なう腕肌の部位に応じて、出力リード１０８を必要な長さだけ本体部８５から引き出して、ヘッド部８６を肌面に接触できる。したがって、出力リード１０８が邪魔になるのを防止しながら、腕肌の美容処理を適切に行なえる。
【００３４】
リード収納構造が、リール１０９を巻込み付勢するリールばね１１０を含んで構成してあり、
ヘッド部８６を本体部８５から分離した状態において、出力リード１０８がリールばね１１０の付勢力で、常に巻き込み収納される向きに引っ張り付勢してある美容器具。
【００３５】
本体部８５から引き出した出力リード１０８を、リールばね１１０の付勢力で常に巻き込み収納される向きに引っ張り付勢すると、美容処理が終了したのちリール１０９を巻き込み操作する必要もなく、出力リード１０８を自動的にリール１０９に巻き取り収納できる。従って、出力リード１０８を収納する手間を省いて、美容器具の収納を簡便に行える。また、ヘッド部８６を本体部８５に連結した状態においては、出力リード１０８に作用する引っ張り力でヘッド部８６を遊動不能に保持して、ヘッド部８６ががたつくのを防止できる。上述したようにヘッド部８６の内部にバイブレータを備えているが、このバイブレータ用として、出力リード１０８以外に、同リード１０８と同じ長さの給電リードを付加する。
【００３６】
美容器具は、イオン導入機能とイオン導出機能を備えていることが好ましいが、イオン導入機能だけ、あるいはイオン導出機能だけを備えている、単機能の仕様であってもよい。
【符号の説明】
【００３７】
８５    本体部
８６    ヘッド部
８７    グリップ電極
８８    肌用電極
１０４  解除操作具
１０８  出力リード
１０９  リール
１１０  リールばね
【図１】
0005676366.tif 000002
【図２】
0005676366.tif 000003
【図３】
0005676366.tif 000004
【図４】
0005676366.tif 000005